(57)【特許請求の範囲】
【請求項１】
ネットワーク接続されたカラオケ演奏端末がそれぞれ設置された複数のカラオケルームにおいて、利用者のパーソナル携帯端末を用いて選曲予約を行わせると共に、利用者がカラオケルームを移動する際に、移動前のカラオケルームに設置されたカラオケ演奏端末における選曲予約情報を、移動先のカラオケルームに設置されたカラオケ演奏端末で利用することが可能なシステムであって、演奏端末識別情報表示手段と、演奏端末識別情報取得手段と、選曲指示情報送信手段と、選曲指示情報転送手段と、予約管理手段と、選曲待避情報送信手段と、選曲待避情報転送手段と、選曲予約情報待避手段と、移動先情報送信手段と、移動先情報転送手段と、選曲予約情報移行手段と、
を備え、
前記演奏端末識別情報表示手段は、前記カラオケ演奏端末を識別するための演奏端末識別情報を、表示装置の表示画面に表示させ、
前記演奏端末識別情報取得手段は、前記パーソナル携帯端末において、前記表示された演奏端末識別情報を取得してメモリに記憶させ、
前記選曲指示情報送信手段は、前記記憶された演奏端末識別情報と、前記パーソナル携帯端末の利用者を識別するための利用者識別情報と、前記パーソナル携帯端末の選曲機能により選曲された楽曲の楽曲ＩＤとからなる選曲指示情報を、当該パーソナル携帯端末の通信網を介して中継サーバへ送信し、
前記選曲指示情報転送手段は、前記中継サーバにおいて、少なくとも、受信した任意の選曲指示情報に含まれる利用者識別情報及び楽曲ＩＤを、当該選曲指示情報に含まれる演奏端末識別情報を有するカラオケ演奏端末に転送し、
前記予約管理手段は、前記カラオケ演奏端末において、受信した利用者識別情報及び楽曲ＩＤからなる選曲予約情報を予約待ち行列にて管理し、
前記選曲待避情報送信手段は、任意のパーソナル携帯端末から再生停止指示入力が行われた場合に、当該パーソナル携帯端末のメモリに記憶された演奏端末識別情報と、当該パーソナル携帯端末の利用者識別情報と、再生停止指示とからなる選曲待避情報を、当該パーソナル携帯端末の通信網を介して中継サーバへ送信し、
前記選曲待避情報転送手段は、前記中継サーバにおいて、受信した選曲待避情報を、当該選曲待避情報に含まれる演奏端末識別情報を有するカラオケ演奏端末に転送し、
前記選曲予約情報待避手段は、前記カラオケ演奏端末において、選曲待避情報を受信した場合に、すべての選曲予約情報を予約待ち行列から待避させ、
前記移動先情報送信手段は、前記再生停止指示を出力したパーソナル携帯端末において、前記演奏端末識別情報取得手段により、所定時間内に新たなカラオケ演奏端末の演奏端末識別情報が取得された場合に、新たに取得された新演奏端末識別情報と、当該パーソナル携帯端末の利用者識別情報とからなる移動先情報を、当該パーソナル携帯端末の通信網を介して中継サーバへ送信し、
前記移動先情報転送手段は、前記中継サーバにおいて、受信した移動先情報に含まれる利用者識別情報を、当該移動先情報に含まれる新演奏端末識別情報を有するカラオケ演奏端末に転送し、
前記選曲予約情報移行手段は、前記移動前のカラオケ演奏端末で予約待ち行列から待避されている選曲予約情報を、前記移動先情報を受信した新演奏端末識別情報を有するカラオケ演奏端末に移行させる、
ことを特徴とするパーソナル携帯端末を用いたカラオケ選曲システム。
【請求項２】
前記パーソナル携帯端末は、前記移動前のカラオケ演奏端末の演奏端末識別情報を記憶し、
前記移動先情報送信手段は、前記移動先情報に当該移動前のカラオケ演奏端末の演奏端末識別情報を含ませて中継サーバへ送信する、
ことを特徴とする請求項１に記載のパーソナル携帯端末を用いたカラオケ選曲システム。
【請求項３】
前記移動先情報転送手段は、任意の選曲待避情報を受信すると、当該選曲待避情報を記憶し、任意の移動先情報を受信すると、当該選曲待避情報に含まれる利用者識別情報と、当該移動先情報に含まれる利用者識別情報を比較し、両者が一致した場合に、前記移動先情報に当該移動前のカラオケ演奏端末の演奏端末識別情報を含ませる、
ことを特徴とする請求項１に記載のパーソナル携帯端末を用いたカラオケ選曲システム。
【発明の詳細な説明】
【技術分野】
【０００１】
本発明は、ネットワーク接続されたカラオケ演奏端末がそれぞれ設置された複数のカラオケルームにおいて、利用者のパーソナル携帯端末を用いて選曲予約を行わせると共に、利用者がカラオケルームを移動する際に、移動前のカラオケルームに設置されたカラオケ演奏端末における選曲予約情報を、移動先のカラオケルームに設置されたカラオケ演奏端末で利用することが可能なカラオケ選曲システムに関するものである。
【背景技術】
【０００２】
近年、パーソナル携帯端末、特に携帯電話が多機能化され、様々なウェブサイトの閲覧や、コンテンツのダウンロード等を行うことができるようになってきた。また、このようなパーソナル携帯端末の普及はめざましく、一人一台を所有していると言っても過言ではない。また、現在普及しているカラオケ演奏端末では、選曲予約を行う際に専用のリモコン装置を利用しているが、アプリケーションソフトをインストールすることによりカラオケリモコン装置として使用することが可能なパーソナル携帯端末も開発されている（例えば、特許文献１）。
【０００３】
特許文献１に記載された技術は、携帯電話機を活用して、従来よりも簡単かつ軽快にリクエスト曲の検索や予約を行えるようにした通信カラオケ演奏端末に関するものであり、携帯電話機は、キーパネル、液晶ディスプレイ、携帯電話網を介して目次サーバと通信する手段、カラオケ演奏端末に向けてＩｒＤＡ信号を送出する手段を備えている。そして、携帯電話機からの発呼に目次サーバが応答して通話状態になると、携帯電話機から利用者の個人ＩＤと個人別目次の検索条件が目次サーバに通知される。目次サーバは、携帯電話機から通知された個人ＩＤ及び検索条件に基づいて該当する個人別目次データを検索し、検索結果である楽曲名と楽曲ＩＤを携帯電話機に伝達する。携帯電話機は受信した楽曲名を一覧表示し、利用者の操作入力により特定された楽曲ＩＤをＩｒＤＡ信号により送出する。
【０００４】
したがって、このような機能を用いることにより、カラオケ利用者は、カラオケ店に備え付けられた専用のリモコン装置を使用することなく、自ら所持しているパーソナル携帯端末を用いて選曲予約操作を行うことができる。特に、多人数でカラオケを楽しんでいる場合には、リモコン装置を使い回す必要がなくなり、利用者が各自所望するタイミングで選曲予約操作を行うことができるという利点がある。
【０００５】
しかしながら、上述した従来の技術は、携帯電話機のようなパーソナル携帯端末の赤外線通信機能を用いて、リモコン装置の機能を発揮させようとするものであり、赤外線通信方式は複数種類が存在する。したがって、パーソナル携帯端末を用いてカラオケ楽曲の選曲予約を行う際には、当該パーソナル携帯端末がカラオケ演奏端末の赤外線通信方式に対応していなければならない。また、赤外線通信機能により選曲予約を行うには、カラオケ演奏端末の赤外線受信装置が、パーソナル携帯端末の赤外線送信装置から発信される赤外線信号を受信することが必要であり、利用者の着座位置によっては赤外線通信を行うことができない場合もある。
【０００６】
この点、カラオケ演奏端末は、インターネット回線等の通信回線を介してカラオケサーバと通信することができるようになっている。そこで、パーソナル携帯端末からの選曲予約データを、携帯電話網及びインターネット回線を介してカラオケ演奏端末に送信すれば、赤外線通信機能を用いることなくパーソナル携帯端末を選曲予約用のリモコン装置として使用することができる。
【０００７】
ところで、大人数のグループでカラオケルームを利用する場合に、カラオケルームの利用状況によっては、収容人員の多い部屋（大部屋）が空いていないことがある。この場合には、とりあえずグループを分割して複数のカラオケルーム（小部屋）を利用してカラオケを楽しみ、収容人員の多い部屋（大部屋）が空いた時点で、小部屋を利用していたグループ全員に当該大部屋に移動してカラオケを楽しむ場合がある。また、大人数のグループでカラオケルームを利用する場合に、当初は全員で一つのカラオケルームを利用し、その後、歌唱するカテゴリ毎に部屋を移動することが考えられる。例えば、大人数のグループで親交を深めるために、まず収容人員の多い部屋（大部屋）を利用して全員でカラオケを楽しみ、その後、アニメソング、演歌等のように各利用者の趣向に合わせてグループを分割して他のカラオケルーム（小部屋）へ移動する場合もある。
【０００８】
このようにカラオケルームを移動した場合には、既に選曲予約を行っていたにもかかわらず、移動先のカラオケルームで再度選曲予約操作を行わなければならないため、利用者にとって煩わしく感じることがあった。このため、カラオケルームを移動した場合であっても、移動先のカラオケ演奏端末において、移動前に行った選曲予約情報を引き継ぐことが可能な技術が開示されている（特許文献２、特許文献３参照）。特許文献２及び特許文献３に記載された技術は、移動前のカラオケ演奏端末における選曲予約情報をカラオケリモコン装置に記憶させ、あるいは移動前のカラオケ演奏端末から移動先のカラオケ演奏端末に選曲予約情報を送信することにより、移動前に行った選曲予約情報を移動先で引き継ぐようになっている。
【先行技術文献】
【特許文献】
【０００９】
【特許文献１】特開２０００−１４８１６９号公報
【特許文献２】特開平１０−９１１７５号公報
【特許文献３】特開平１０−９１１７７号公報
【発明の概要】
【発明が解決しようとする課題】
【００１０】
上述したように、現在では、カラオケ利用者が各自所持する携帯電話等のパーソナル携帯端末を利用してカラオケ選曲を行うことができ、このようなカラオケ選曲システムにおいてもカラオケルームの移動に伴う選曲予約情報の引き継ぎを行いたいとの要望がある。
【００１１】
しかし、上述した特許文献２、特許文献３等に記載され従来の技術は、カラオケ利用者が各自所持する携帯電話等のパーソナル携帯端末を利用してカラオケ選曲を行うことを想定していないため、これらの技術をそのまま適用することはできない。すなわち、パーソナル携帯端末を利用してカラオケ選曲を行うためには、パーソナル携帯端末の識別情報と、当該パーソナル携帯端末を用いて選曲を行う利用者の識別情報と、カラオケ演奏端末の識別情報とを関連付けて管理する必要がある。したがって、パーソナル携帯端末を利用してカラオケ選曲を行うためには、特有の技術を用いなければならず、その上で、カラオケルームの移動に伴う選曲予約情報の引き継ぎを行うための工夫が必要である。
【００１２】
本発明は、上述した事情に鑑み提案されたもので、カラオケ演奏端末がそれぞれ設置された複数のカラオケルームにおいて、利用者のパーソナル携帯端末を用いて選曲予約を行わせると共に、利用者がカラオケルームを移動する際に、移動前のカラオケルームに設置されたカラオケ演奏端末における選曲予約情報を、移動先のカラオケルームに設置されたカラオケ演奏端末で利用することが可能なシステムを提供することを目的とする。
【課題を解決するための手段】
【００１３】
本発明のパーソナル携帯端末を用いたカラオケ選曲システムは、上述した目的を達成するため、以下の特徴点を有している。すなわち、本発明のパーソナル携帯端末を用いたカラオケ選曲システムは、ネットワーク接続されたカラオケ演奏端末がそれぞれ設置された複数のカラオケルームにおいて、利用者のパーソナル携帯端末を用いて選曲予約を行わせると共に、利用者がカラオケルームを移動する際に、移動前のカラオケルームに設置されたカラオケ演奏端末における選曲予約情報を、移動先のカラオケルームに設置されたカラオケ演奏端末で利用することが可能なシステムであって、演奏端末識別情報表示手段と、演奏端末識別情報取得手段と、選曲指示情報送信手段と、選曲指示情報転送手段と、予約管理手段と、選曲待避情報送信手段と、選曲待避情報転送手段と、選曲予約情報待避手段と、移動先情報送信手段と、移動先情報転送手段と、選曲予約情報移行手段と、を備えたことを特徴とするものである。
【００１４】
演奏端末識別情報表示手段は、カラオケ演奏端末を識別するための演奏端末識別情報を、表示装置の表示画面に表示させるための手段である。演奏端末識別情報取得手段は、パーソナル携帯端末において、表示された演奏端末識別情報を取得してメモリに記憶させるための手段である。選曲指示情報送信手段は、パーソナル携帯端末のメモリに記憶された演奏端末識別情報と、当該パーソナル携帯端末の利用者を識別するための利用者識別情報と、当該パーソナル携帯端末の選曲機能により選曲された楽曲の楽曲ＩＤとからなる選曲指示情報を、当該パーソナル携帯端末の通信網を介して中継サーバへ送信するための手段である。
【００１５】
選曲指示情報転送手段は、中継サーバにおいて、少なくとも、受信した任意の選曲指示情報に含まれる利用者識別情報及び楽曲ＩＤを、当該選曲指示情報に含まれる演奏端末識別情報を有するカラオケ演奏端末に転送するための手段である。予約管理手段は、選曲指示情報に含まれる利用者識別情報及び楽曲ＩＤを受信したカラオケ演奏端末において、当該利用者識別情報及び楽曲ＩＤからなる選曲予約情報を予約待ち行列にて管理するための手段である。
【００１６】
選曲待避情報送信手段は、任意のパーソナル携帯端末から再生停止指示入力が行われた場合に、当該パーソナル携帯端末のメモリに記憶された演奏端末識別情報と、当該パーソナル携帯端末の利用者識別情報と、再生停止指示とからなる選曲待避情報を、当該パーソナル携帯端末の通信網を介して中継サーバへ送信するための手段である。選曲待避情報転送手段は、中継サーバにおいて、受信した選曲待避情報を、当該選曲待避情報に含まれる演奏端末識別情報を有するカラオケ演奏端末に転送するための手段である。
【００１７】
選曲予約情報待避手段は、カラオケ演奏端末において、選曲待避情報を受信した場合に、すべての選曲予約情報を予約待ち行列から待避させるための手段である。移動先情報送信手段は、再生停止指示を出力したパーソナル携帯端末において、演奏端末識別情報取得手段により、所定時間内に新たなカラオケ演奏端末の演奏端末識別情報が取得された場合に、新たに取得された新演奏端末識別情報と、当該パーソナル携帯端末の利用者識別情報とからなる移動先情報を、当該パーソナル携帯端末の通信網を介して中継サーバへ送信するための手段である。
【００１８】
移動先情報転送手段は、中継サーバにおいて、受信した移動先情報に含まれる利用者識別情報を、当該移動先情報に含まれる新演奏端末識別情報を有するカラオケ演奏端末に転送するための手段である。選曲予約情報移行手段は、移動前のカラオケ演奏端末で予約待ち行列から待避されている選曲予約情報を、移動先情報を受信した新演奏端末識別情報を有するカラオケ演奏端末に移行させるための手段である。
【００１９】
また、本発明のパーソナル携帯端末を用いたカラオケ選曲システムは、上述した構成に加えて、パーソナル携帯端末は、移動前のカラオケ演奏端末の演奏端末識別情報を記憶し、移動先情報送信手段は、移動先情報に当該移動前のカラオケ演奏端末の演奏端末識別情報を含ませて中継サーバへ送信する構成とすることが可能である。
【００２０】
また、本発明のパーソナル携帯端末を用いたカラオケ選曲システムは、上述した構成に加えて、移動先情報転送手段は、任意の選曲待避情報を受信すると、当該選曲待避情報を記憶し、任意の移動先情報を受信すると、当該選曲待避情報に含まれる利用者識別情報と、当該移動先情報に含まれる利用者識別情報の一致を確認し、両者が一致した場合に、移動先情報に当該移動前のカラオケ演奏端末の演奏端末識別情報を含ませる構成とすることが可能である。
【００２１】
このような構成からなるパーソナル携帯端末を用いたカラオケ選曲システムでは、予めパーソナル携帯端末を用いてモバイルＷＷＷサーバにアクセスし、所定のカラオケ演奏端末に対応する選曲用アプリケーションソフトをダウンロードし、この選曲用アプリケーションソフトを当該パーソナル携帯端末にインストールすることにより、パーソナル携帯端末を用いて選曲予約操作を行うことができるようになる。
【００２２】
そして、パーソナル携帯端末を用いて選曲予約を行う際に、演奏端末識別情報表示手段の機能により、利用者が利用するカラオケ演奏端末の演奏端末識別情報を表示装置の表示画面に表示させ、演奏端末識別情報取得手段の機能により、表示された演奏端末識別情報を取得してメモリに記憶させる。これにより、選曲予約操作を行うパーソナル携帯端末とカラオケ演奏端末とを関連付けることができる。
【００２３】
選曲が行われると、選曲指示情報送信手段の機能により、パーソナル携帯端末のメモリに記憶された演奏端末識別情報と、当該パーソナル携帯端末の利用者を識別するための利用者識別情報（携帯端末のＵＤＩＤ、利用者ＩＤ等）と、当該パーソナル携帯端末の選曲機能により選曲された楽曲の楽曲ＩＤとからなる選曲指示情報を、当該パーソナル携帯端末の通信網（携帯電話網及びインターネット）を介して中継サーバへ送信する。中継サーバでは、選曲指示情報転送手段の機能により、受信した任意の選曲指示情報に含まれる利用者識別情報及び楽曲ＩＤを、当該選曲指示情報に含まれる演奏端末識別情報を有するカラオケ演奏端末に転送する。選曲指示情報を受信したカラオケ演奏端末では、予約管理手段の機能により、予約待ち行列を作成して、受信した利用者識別情報及び楽曲ＩＤからなる選曲予約情報を管理する。
【００２４】
そして、利用者がカラオケルームを移動する場合に、当該利用者が選曲予約操作に用いているパーソナル携帯端末から再生停止指示が入力されると、選曲待避情報送信手段の機能により、当該パーソナル携帯端末のメモリに記憶された演奏端末識別情報と、当該パーソナル携帯端末の利用者識別情報と、再生停止指示とからなる選曲待避情報を、当該パーソナル携帯端末の通信網（携帯電話網及びインターネット）を介して中継サーバへ送信する。中継サーバでは、選曲待避情報転送手段の機能により、受信した選曲待避情報を、当該選曲待避情報に含まれる演奏端末識別情報を有するカラオケ演奏端末に転送する。
【００２５】
選曲待避情報を受信したカラオケ演奏端末では、選曲予約情報待避手段の機能により、すべての選曲予約情報を予約待ち行列から待避させて、当該楽曲の再生を停止させる。これにより、利用者がカラオケルームを移動する場合に、すべての利用者の選曲予約情報が予約待ち行列から待避（削除）され、それ以降、選曲予約された楽曲は演奏されない。なお、予約待ち行列から待避（削除）された選曲予約情報に基づいて、待避予約待ち行列が作成される。
【００２６】
利用者が新たなカラオケルームに移動し、再生停止指示を出力したパーソナル携帯端末の識別情報取得手段の機能により、所定時間内に新たなカラオケ演奏端末の演奏端末識別情報が取得されると、移動先情報送信手段の機能により、新たに取得された新演奏端末識別情報と、当該パーソナル携帯端末の利用者識別情報とからなる移動先情報を、当該パーソナル携帯端末の通信網（携帯電話網及びインターネット）を介して中継サーバへ送信する。この際、パーソナル携帯端末では、移動前のカラオケ演奏端末の演奏端末識別情報を記憶しておき、移動先情報送信手段の機能により、移動前のカラオケ演奏端末の演奏端末識別情報を移動先情報に含ませて中継サーバへ送信してもよい。このような機能を用いることにより、選曲予約情報移行手段において、移動前のカラオケ演奏端末の演奏端末識別情報を取得することができる。
【００２７】
中継サーバでは、移動先情報転送手段の機能により、受信した移動先情報に含まれる利用者識別情報を、当該移動先情報に含まれる新演奏端末識別情報を有するカラオケ演奏端末に転送する。この際、移動先情報転送手段は、任意の選曲待避情報を受信した際に、当該選曲待避情報を記憶しておくように機能させることが可能である。このような機能を持たせた場合に、移動先情報転送手段は、任意の移動先情報を受信すると、当該選曲待避情報に含まれる利用者識別情報と、当該移動先情報に含まれる利用者識別情報の一致を確認し、両者が一致した場合に、移動先情報に当該移動前のカラオケ演奏端末の演奏端末識別情報を含ませる。このような機能を用いることにより、選曲予約情報移行手段において、移動前のカラオケ演奏端末の演奏端末識別情報を取得することができる。
【００２８】
そして、選曲予約情報移行手段の機能により、移動前のカラオケ演奏端末で予約待ち行列から待避されている選曲予約情報を、移動先のカラオケ演奏端末に移行する。移動先のカラオケ演奏端末では、移行された選曲予約情報に基づいて、予約管理手段による予約選曲管理が行われる。
【発明の効果】
【００２９】
本発明のパーソナル携帯端末を用いたカラオケ選曲システムによれば、パーソナル携帯端末を選曲予約用リモコン装置として利用することができるばかりでなく、利用者がカラオケルームを移動する際に、移動前のカラオケルームに設置されたカラオケ演奏端末における利用者の選曲予約情報を、移動先のカラオケルームに設置されたカラオケ演奏端末で利用することが可能となる。
【００３０】
すなわち、利用者がカラオケルームを移動する際に、いずれかの利用者が選曲予約操作を行ったパーソナル携帯端末を用いて、選曲予約情報を待避させるための操作を行うと、当該カラオケルームに設置されたカラオケ演奏端末におけるすべての選曲予約情報を一時的に待避させることができる。そして、新たなカラオケルームに移動した後に、再度、カラオケ演奏端末とパーソナル携帯端末との関連付けが行われると、移動前に待避させていた選曲予約情報を、移動先のカラオケ演奏端末に自動的に取り込むことができるので、既に済ませている選曲予約操作を改めてやり直す必要がなくなり、利用者の手間を省くことができる。
【００３１】
特に、本発明のパーソナル携帯端末を用いたカラオケ選曲システムによれば、利用者の一人が再生停止指示を行うだけで、すべての利用者について選曲予約情報を移行することができるため、グループのすべての利用者が一斉に他のカラオケルームに移動する際に、上述した効果を好適に発揮することができる。
【図面の簡単な説明】
【００３２】
【図１】本発明の実施形態に係るカラオケ選曲システムの機能説明図。
【図２】本発明の実施形態に係るカラオケ選曲システムの構成を示すブロック図。
【図３】本発明の実施形態に係るカラオケ選曲システムを構成する中継サーバの構成を示すブロック図。
【図４】利用者管理テーブルの構成を示す説明図。
【図５】予約待ち行列及び待避予約待ち行列の構成を示す説明図。
【発明を実施するための形態】
【００３３】
以下、図面を参照して、本発明のパーソナル携帯端末を用いたカラオケ選曲システム（以下、カラオケ選曲システムと略記する）の実施形態について説明する。図１〜図５は本発明の実施形態に係るカラオケ選曲システムを示すもので、図１はカラオケ選曲システムの機能説明図、図２はカラオケ選曲システムのブロック図、図３は中継サーバのブロック図、図４は利用者管理テーブルの説明図、図５は予約待ち行列及び待避予約待ち行列の説明図である。
【００３４】
＜カラオケ選曲システムの概要＞
本発明の実施形態に係るカラオケ選曲システムは、利用者が所有するパーソナル携帯端末を用いて、カラオケ演奏端末における選曲を行うことが可能なシステムにおいて、例えば、大人数のグループでカラオケ店に来店したが、すべての利用者を収容することができるカラオケルーム（大部屋）が空いていないため、当初はグループを分割して複数のカラオケルーム（小部屋）を利用し、大部屋が空いた時点で、全員がカラオケルームを移動して一緒にカラオケを楽しむ場合に、既に行っていた選曲予約操作を再度行うことなく、移動先のカラオケルームでカラオケを楽しめるようにした技術である。
【００３５】
なお、本実施形態では、任意のカラオケ演奏端末において選曲予約を許可するためのキーコードを所定時間が経過する毎に発行し、選指示情報に有効な当該キーコードが含まれている場合のみに選曲予約を行うことができるようになっているが、キーコードの照合を行わないシステムにおいても、本発明を適用することができるのは勿論である。
【００３６】
以下の説明において、プログラムとは、ＲＡＭ等に記憶され、ＣＰＵ等のハードウェアで実行されることにより、その機能を発揮するソフトウエアだけではなく、同等の機能を発揮することが可能な論理回路も含む概念である。
【００３７】
本実施形態のカラオケ選曲システム１０は、図１に示すように、演奏端末識別情報表示手段６９と、演奏端末識別情報取得手段５１と、選曲指示情報送信手段５２と、選曲指示情報転送手段２２と、予約管理手段６８と、選曲待避情報送信手段５３と、選曲待避情報転送手段２３と、選曲予約情報待避手段７２と、移動先情報送信手段５４と、移動先情報転送手段２４と、選曲予約情報移行手段７３とを備えている。本実施形態では、演奏端末識別情報表示手段６９、予約管理手段６８、選曲予約情報待避手段７２、選曲予約情報移行手段７３は、カラオケ演奏端末３０（カラオケ本体３１）の構成要素となっており、演奏端末識別情報取得手段５１、選曲指示情報送信手段５２、選曲待避情報送信手段５３、移動先情報送信手段５４は、パーソナル携帯端末５０の構成要素となっており、選曲指示情報転送手段２２、選曲待避情報転送手段２３、移動先情報転送手段２４は、中継サーバ２０の構成要素となっている。なお、各手段の帰属先は上述した例に限られず、各手段の機能を発揮することができれば、どのような装置の構成要素としてもよい。各手段の機能については、後に詳述する。
【００３８】
＜カラオケ選曲システム＞
本発明の実施形態に係るカラオケ選曲システム１０は、図３に示すように、中継サーバ２０と複数のカラオケ演奏端末３０とが通信ネットワーク（本実施形態では、インターネット４０）を介して相互に接続されている。さらに、各カラオケ店には複数のカラオケルームが設けられており、各カラオケルームにはそれぞれカラオケ演奏端末３０が設置されている。各カラオケ店では、図２に示すように、複数のカラオケ演奏端末３０がＬＡＮ接続されており、各カラオケ演奏端末３０は、ＬＡＮ上に設置されたルータ６０を介して通信ネットワーク（インターネット４０）に接続されている。通信ネットワークは、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネット４０により構成されるＶＰＮを利用することが好ましい。
【００３９】
＜中継サーバ＞
中継サーバ２０は、図３に示すように、利用者管理手段２１、選曲指示情報転送手段２２、選曲待避情報転送手段２３、移動先情報転送手段２４、利用者管理テーブル２５を備えている。なお、図示しないが、中継サーバ２０は、上述した手段の他に、複数のカラオケ演奏端末３０との間でデータの送受信を行うと共に、データを所定の記憶装置に記憶するための基本的なサーバ機能を備えている。また、中継サーバ２０を独立したサーバとして構築するのではなく、カラオケ楽曲の配信を行うホストサーバに中継サーバ２０としての機能を持たせてもよい。また、利用者情報の管理を中継サーバ２０で行うのではなく、利用者情報管理サーバ等の独立した他のサーバに行わせてもよいし、各カラオケ演奏端末３０あるいは各カラオケ店にそれぞれ設置された管理サーバにおいて利用者情報を管理してもよい。
【００４０】
＜利用者管理手段＞
利用者管理手段２１は、図４に示すように、利用者毎に、パーソナル携帯端末５０を識別するための携帯端末ＩＤと、当該パーソナル携帯端末５０を用いて選曲を行う利用者の利用者ＩＤとを対応付けて、利用者管理テーブル２５にて管理するためのプログラムからなる。すなわち、予約管理手段６８では、利用者管理テーブル２５を作成して利用者情報を管理する。利用者管理テーブル２５は、各利用者が選曲予約操作に使用するパーソナル携帯端末５０の携帯端末ＩＤと、利用者の利用者ＩＤとを対応付けた利用者情報からなるデータテーブルである。この利用者管理テーブル２５を参照することにより、パーソナル携帯端末５０を用いて選曲予約操作を行った利用者の利用者ＩＤを認識することができる。利用者管理テーブル２５には、上述した基本情報の他に、利用者に関する各種の属性情報を格納することができる。
【００４１】
＜選曲指示情報転送手段＞
選曲指示情報転送手段２２は、少なくとも、パーソナル携帯端末５０から受信した任意の選曲指示情報に含まれる利用者識別情報５５ｃ及び楽曲ＩＤ５５ｂを、当該選曲指示情報に含まれる演奏端末識別情報５５ａを有するカラオケ演奏端末３０に転送するためのプログラムからなる。なお、利用者識別情報５５ｃとは、パーソナル携帯端末５０のＵＤＩＤ（携帯端末ＩＤ）、利用者ＩＤ等、利用者を識別することが可能な情報である。
【００４２】
また、パーソナル携帯端末５０から送信されてくる利用者識別情報５５ｃがパーソナル携帯端末５０のＵＤＩＤ（携帯端末ＩＤ）である場合に、選曲指示情報転送手段２２では、利用者管理テーブル２５を参照して携帯端末ＩＤに対応付けられた利用者ＩＤを取得し、利用者ＩＤ及び楽曲ＩＤをカラオケ演奏端末３０に転送してもよい。また、カラオケ演奏端末３０から中継サーバ２０にアクセスして、利用者管理テーブル２５を参照して携帯端末ＩＤに対応付けられた利用者ＩＤを取得してもよい。なお、本実施形態では、利用者識別情報５５ｃ及び楽曲ＩＤと共に、キーコード（入力キーコード）をカラオケ演奏端末３０に転送する。演奏端末識別情報５５ａは、例えば、カラオケ演奏端末３０を一意に識別することが可能な、ＩＰアドレス、デバイスＩＤ、ＭＡＣアドレスや、これらを組み合わせた情報からなる。
【００４３】
＜選曲待避情報転送手段＞
選曲待避情報転送手段２３は、任意のパーソナル携帯端末５０から受信した選曲待避情報を、当該選曲待避情報に含まれる演奏端末識別情報を有するカラオケ演奏端末３０に転送するためのプログラムからなる。すなわち、利用者がカラオケルームを移動する際に、当該利用者が選曲予約操作に用いているパーソナル携帯端末５０から再生停止指示が入力されると、当該パーソナル携帯端末５０から選曲待避情報が送信されてくるため、選曲待避情報転送手段２３は、この選曲待避情報を所定のカラオケ演奏端末３０に転送する。
【００４４】
＜移動先情報転送手段＞
移動先情報転送手段２４は、再生停止指示を出力したパーソナル携帯端末５０から受信した移動先情報に含まれる利用者識別情報５５ｃを、当該移動先情報に含まれる新演奏端末識別情報を有するカラオケ演奏端末３０に転送するためのプログラムからなる。すなわち、利用者がカラオケルームを移動し、新たなカラオケ演奏端末３０を利用とした場合に、移動先情報転送手段２４の機能により、当該利用者の利用者識別情報５５ｃを、移動先の新演奏端末識別情報を有するカラオケ演奏端末３０に転送することにより、移動先のカラオケ演奏端末３０において、カラオケルームを移動した利用者の利用者識別情５５ｃを取得することができる。
【００４５】
また、移動先情報転送手段２４は、任意の選曲待避情報を受信すると、当該選曲待避情報を記憶し、任意の移動先情報を受信すると、当該選曲待避情報に含まれる利用者識別情報５５ｃと、当該移動先情報に含まれる利用者識別情報５５ｃの一致を確認し、両者が一致した場合に、移動先情報に当該移動前のカラオケ演奏端末３０の演奏端末識別情報５５ａを含ませる機能を持たせることが可能である。移動先情報転送手段２４がこのような機能を有している場合には、選曲予約情報移行手段７３において、移動前のカラオケ演奏端末３０の演奏端末識別情報５５ａを取得することができる。
【００４６】
＜カラオケ演奏端末＞
カラオケ演奏端末３０は、図２に示すように、カラオケ本体３１、スピーカ３２、マイクロホン３３、表示装置３４、ミキシングアンプ３５を備えている。なお、本実施形態に係るカラオケ演奏端末３０は、パーソナル携帯端末５０を選曲予約用のリモコン装置として利用するが、パーソナル携帯端末５０を用いない利用者のために、専用のカラオケリモコン装置３６を備えていることが好ましい。また、本実施形態では、カラオケリモコン装置３６に付帯する入出力表示装置（図示せず）は、演奏端末識別情報５５ａ等を表示するための表示装置として機能させてもよい。
【００４７】
＜カラオケ本体＞
カラオケ本体３１は、図２に示すように、ネットワーク送受信手段６１、中央制御手段６２、ＲＯＭ６３、ＲＡＭ６４、ＨＤＤ６５、ローカル送受信手段６６、キーコード発行手段６７、予約管理手段６８、演奏端末識別情報表示手段６９、音楽再生制御手段７０、映像再生制御手段７１、選曲予約情報待避手段７２、選曲予約情報移行手段７３を備えている。
【００４８】
＜中央制御手段＞
中央制御手段６２は、カラオケ本体３１を総合的に制御するための手段であり、例えばＣＰＵ及びその周辺機器により構成されており、ＣＰＵ等がＲＯＭ６３等に記憶されたプログラムに従って動作することにより、制御機能を発揮することができるようになっている。
【００４９】
＜ＲＯＭ／ＲＡＭ＞
ＲＯＭ６３は、カラオケ本体３１を構成する各機器を制御するためのプログラムデータや数値データを記憶するための機器で、例えば半導体メモリ等で構成される。また、ＲＡＭ６４は、プログラムや各種データを一時的に記憶する一時記憶領域として機能するもので、例えば半導体メモリ等で構成される。本実施形態では、ＲＡＭ６４に、予約待ち行列６４ａ、待避予約待ち行列６４ｂ、キーコード発行手段６７で発行したキーコード（発行キーコード６４ｃ）が記憶されるようになっている。
【００５０】
＜予約待ち行列／待避予約待ち行列＞
予約待ち行列６４ａは、図５に示すように、選曲予約されたカラオケ楽曲について、演奏順に楽曲ＩＤを並べて構成したデータテーブルである。待避予約待ち行列６４ｂは、図５に示すように、任意のパーソナル携帯端末５０に再生停止指示が入力された場合に作成されるデータテーブルであり、当該パーソナル携帯端末５０の利用者識別情報５５ｃに対応付けられた利用者ＩＤを含む選曲予約情報と同一の予約待ち行列６４ａに含まれている他の選曲予約情報のすべてを予約待ち行列６４ａから削除して、削除したデータに基づいて待避予約待ち行列６４ｂを作成する。なお、予約待ち行列６４ａ及び待避予約待ち行列６４ｂは、楽曲ＩＤの他に、楽曲名、選曲者等のデータを含んでいてもよい。
【００５１】
＜ＨＤＤ＞
ＨＤＤ６５は、大容量記憶装置として機能するもので、楽曲データベース６５ａ及び映像データベース６５ｂが格納されている。なお、ＨＤＤ６５に替えて、あるいはＨＤＤ６５と共に、データを書き替え可能なＤＶＤ等の大容量記憶装置を用いてもよい。
【００５２】
＜楽曲データベース／映像データベース＞
楽曲データベース６５ａは、演奏制御データ（ＭＩＤＩ（登録商標）データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース６５ｂは、演奏されるカラオケ楽曲に対応した背景映像を、当該カラオケ楽曲の楽曲ＩＤに対応させた映像ファイルとして所定数格納したデータである。
【００５３】
＜送受信手段＞
ローカル送受信手段６６は、カラオケ本体３１とカラオケリモコン装置３６との間で、データの送受信を行うための電子回路及びプログラムからなる。本実施形態では、赤外線通信により、カラオケ本体３１とカラオケリモコン装置３６との間でデータの送受信が行われる。ネットワーク送受信手段６１は、カラオケ本体３１と中継サーバ２０との間で、データの送受信を行うための電子回路及びプログラムからなる。本実施形態では、カラオケ店において、複数のカラオケ演奏端末３０がＬＡＮ接続されており、各カラオケ演奏端末３０は、ＬＡＮ上に設置されたルータ６０を介してインターネット４０と接続されている。
【００５４】
＜キーコード発行手段＞
キーコード発行手段６７は、カラオケ演奏端末３０において、パーソナル携帯端末５０を用いた選曲予約を許可するためのキーコードを所定時間が経過する毎に発行するためのプログラムからなる。すなわち、キーコードは、所定時間が経過する毎に新たに発行される。キーコードは、例えば、４桁の数字や、これをバーコード化した２次元バーコードからなる。発行したキーコードは、発行キーコード６４ｃとして、ＲＡＭ６４に記憶される。
【００５５】
＜予約管理手段＞
予約管理手段６８は、中継サーバ２０から受信した利用者識別情報５５ｃ及び楽曲ＩＤ５５ｂからなる選曲予約情報を予約待ち行列６４ａにて管理するためのプログラムからなる。また、予約管理手段６８は、移動前のカラオケ演奏端末３０で予約待ち行列６４ａから待避されている選曲予約情報（待避予約待ち行列６４ｂ）を取得した場合に、当該取得した選曲予約情報に基づいて予約待ち行列６４ａを作成する機能を有している。
【００５６】
＜選曲予約情報待避手段＞
選曲予約情報待避手段７２は、選曲待避情報を受信した場合に、すべての選曲予約情報を予約待ち行列６４ａから待避させるためのプログラムからなる。すなわち、選曲予約情報待避手段７２は、利用者がカラオケルームを移動する際に、いずれかの利用者のパーソナル携帯端末５０から入力された再生停止指示に基づいて、当該利用者の利用者識別情報５５ｃに対応付けられた選曲予約情報だけではなく、当該利用者の利用者識別情報５５ｃに対応付けられた選曲予約情報を含むすべての選曲予約情報を予約待ち行列６４ａから待避させて（削除して）、待避予約待ち行列６４ｂを作成する。
【００５７】
＜選曲予約情報移行手段＞
選曲予約情報移行手段７３は、移動前のカラオケ演奏端末３０で予約待ち行列６４ａから待避されている選曲予約情報（待避予約待ち行列６４ｂ）を、移動先情報を受信した新演奏端末識別情報を有するカラオケ演奏端末３０に移行させるためのプログラムからなる。すなわち、選曲予約情報移行手段７３は、利用者が新たなカラオケルームに移動すると、移動先情報を受信した新演奏端末識別情報を有するカラオケ演奏端末３０に対して、移動前の演奏端末識別情報を有するカラオケ演奏端末３０で予約待ち行列６４ａから待避されている選曲予約情報（待避予約待ち行列６４ｂ）を移行させる。そして、予約管理手段６８では、取得した選曲予約情報に基づいて予約選曲管理が行われる。
【００５８】
なお、選曲予約情報移行手段７３をカラオケ演奏端末３０の構成要素とするのではなく、中継サーバ２０や、各カラオケ店に設置された管理サーバの構成要素としてもよい。これにより、選曲予約情報の移行処理を、カラオケ演奏端末３０の外部から指示して実行させることができる。
【００５９】
＜音楽再生制御手段＞
音楽再生制御手段７０は、楽曲ＩＤに基づいて楽曲データベース６５ａから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段７０から送出される演奏音声信号とをミキシングすると共に、アンプ機能により増幅してスピーカ３２より出力させるための装置である。
【００６０】
＜映像再生制御手段＞
映像再生制御手段７１は、カラオケ楽曲の演奏中に、映像データベース６５ｂから抽出した背景映像データと、楽曲データベース６５ａに含まれる歌詞描出データ（テロップデータ）とを、当該カラオケ楽曲の演奏データに同期させて表示装置３４に出力するためのプログラムからなる。
【００６１】
＜演奏端末識別情報表示手段＞
演奏端末識別情報表示手段６９は、カラオケ演奏端末３０を識別するための演奏端末識別情報５５ａを、表示装置３４の表示画面に表示させるためのプログラムからなる。すなわち、演奏端末識別情報表示手段６９は、カラオケ演奏端末３０を識別するための演奏端末識別情報５５ａを２次元バーコード化して、表示装置３４の表示画面に表示させる。なお、演奏端末識別情報５５ａを表示させる表示装置３４は、カラオケ楽曲に関連した背景映像や歌詞テロップ等を表示するための表示装置３４であってもよいし、カラオケリモコン装置３６に付帯した入出力表示装置（図示せず）であってもよい。また、表示装置３４の表示画面に演奏端末識別情報５５ａを表示する際に所定のアルゴリズムで暗号化し、所定桁数の数字として表示してもよい。
【００６２】
さらに、本実施形態では、キーコード発行手段６７により発行したキーコードを、演奏端末識別情報５５ａと共に２次元バーコード化して、表示装置３４の表示画面に表示させているが、演奏端末識別情報５５ａとキーコードとを別個に表示させてもよい。
【００６３】
＜マイクロホン＞
マイクロホン３３は、歌唱音声の入力を行うための装置である。マイクロホン３３から入力された歌唱音声信号はミキシングアンプ３５に入力され、音楽再生制御手段７０から送出される演奏音声信号とミキシングされると共に増幅されてスピーカ３２へ出力される。
【００６４】
＜表示装置＞
表示装置３４は、カラオケ楽曲に関連した背景映像や歌詞テロップ等を表示するための装置で、例えば、液晶ディスプレイ等により構成される。
【００６５】
＜パーソナル携帯端末＞
パーソナル携帯端末５０は、データ通信機能を用いて、モバイルＷＷＷサーバ９０に格納された選曲用アプリケーションソフト９１をダウンロードし、この選曲用アプリケーションソフト９１をインストールすることにより、選曲予約機能を持たせることができる。パーソナル携帯端末５０に選曲用アプリケーションソフト９１をインストールすると、パーソナル携帯端末５０は、楽曲検索手段５６として機能するプログラムを備えて選曲を行うことができるようになる。また、パーソナル携帯端末５０は、演奏端末識別情報取得手段５１として機能するプログラム、選曲指示情報送信手段５２として機能するプログラム、移動先情報送信手段５４として機能するプログラム、メモリ５５を備えている。メモリ５５には、演奏端末識別情報５５ａ、選曲した楽曲の楽曲ＩＤ５５ｂ、利用者識別情報５５ｃ、キーコード５５ｄが記憶される。
【００６６】
パーソナル携帯端末５０と携帯電話網８０を介して接続されるモバイルＷＷＷサーバ９０には、選曲用アプリケーションソフト９１及び選曲用楽曲索引データベース９２が格納されており、パーソナル携帯端末５０が備える楽曲検索手段５６の機能により、選曲用楽曲索引データベース９２を参照して楽曲を検索することができる。なお、選曲用楽曲索引データベース９２をモバイルＷＷＷサーバ９０に格納するのではなく、パーソナル携帯端末５０にダウンロードして、ローカルで楽曲検索を行ってもよい。
【００６７】
＜楽曲検索手段／選曲用楽曲索引データベース＞
楽曲検索手段５６は、利用者の指示に基づき、選曲用楽曲索引データベース９２を参照して楽曲を検索するためのプログラムからなる。選曲用楽曲索引データベース９２は、カラオケ演奏端末３０で演奏に供されるカラオケ楽曲について、その属性情報を記述したデータベースであり、例えば、楽曲ＩＤ・曲名・歌手名・歌い出し部分の歌詞・流行時期・音楽ジャンル区分・デュエット曲か否かなど、種々の属性情報がこれに含まれている。
【００６８】
＜演奏端末識別情報取得手段＞
演奏端末識別情報取得手段５１は、表示装置３４の表示画面に表示された演奏端末識別情報５５ａを取得して、メモリ５５に記憶させるためのプログラムからなる。上述したように、表示装置３４の表示画面には、２次元バーコード化された演奏端末識別情報５５ａが表示されるので、演奏端末識別情報取得手段５１は、パーソナル携帯端末５０に付帯したバーコード読取装置（図示せず）を用いて演奏端末識別情報５５ａを取得することができる。なお、演奏端末識別情報５５ａが所定桁数の数字からなる場合には、表示装置３４の表示画面を目視した利用者が、パーソナル携帯端末５０に付帯したテンキー等を用いて、当該数字を入力することにより、演奏端末識別情報５５ａを取得してもよい。また、演奏端末識別情報５５ａと共にキーコード５５ｄが２次元バーコードとして表示されている場合には、このキーコード５５ｄも同時に取得することができる。
【００６９】
＜選曲指示情報送信手段＞
選曲指示情報送信手段５２は、メモリ５５に記憶された演奏端末識別情報５５ａと、当該パーソナル携帯端末５０の利用者を識別するための利用者識別情報５５ｃ（例えば、携帯端末ＩＤや利用者ＩＤ）と、当該パーソナル携帯端末５０の選曲機能により選曲された楽曲の楽曲ＩＤ５５ｂとからなる選曲指示情報を、当該パーソナル携帯端末５０の通信網（携帯電話網８０及びインターネット４０）を介して中継サーバ２０へ送信するためのプログラムからなる。すなわち、選曲指示情報送信手段５２は、楽曲検索手段５６の機能により楽曲検索が行われ、予約すべき楽曲が選曲されると、メモリ５５に記憶された演奏端末識別情報５５ａと、利用者識別情報５５ｃと、選曲された楽曲の楽曲ＩＤ５５ｂとからなる選曲指示情報を、携帯電話網８０及びインターネット４０を介して中継サーバ２０へ送信する。この際、選曲指示情報にキーコード５５ｄを含ませることが好ましい。
【００７０】
＜移動先情報送信手段＞
移動先情報送信手段５４は、再生停止指示を出力したパーソナル携帯端末５０において、演奏端末識別情報取得手段５１により、所定時間内に新たなカラオケ演奏端末３０の演奏端末識別情報が取得された場合に、新たに取得された新演奏端末識別情報と、当該パーソナル携帯端末の利用者識別情報５５ｃとからなる移動先情報を、当該パーソナル携帯端末５０の通信網（携帯電話網８０及びインターネット４０）を介して中継サーバ２０へ送信するためのプログラムからなる。すなわち、移動先情報送信手段５４は、利用者が新たなカラオケルームに移動して、新たなカラオケ演奏端末３０とパーソナル携帯端末５０とが関連付けられると、新たに取得された新演奏端末識別情報と、当該パーソナル携帯端末５０の利用者識別情報５５ｃとからなる移動先情報を、当該パーソナル携帯端末５０の通信網（携帯電話網８０及びインターネット４０）を介して中継サーバ２０へ送信する。
【００７１】
また、パーソナル携帯端末５０において、移動前のカラオケ演奏端末３０の演奏端末識別情報５５ａを記憶しておき、移動先情報送信手段５４は、移動先情報に当該移動前のカラオケ演奏端末３０の演奏端末識別情報５５ａを含ませて中継サーバ２０へ送信する機能を持たせてもよい。移動先情報送信手段５４にこのような機能を持たせることにより、選曲予約情報移行手段７３において、移動前のカラオケ演奏端末３０の演奏端末識別情報５５ａを取得することができる。
【００７２】
＜選曲予約＞
次に、図１を参照して、本実施形態のカラオケ選曲システム１０における選曲予約について説明する。本実施形態のカラオケ選曲システム１０では、図１に示すように、パーソナル携帯端末５０において、選曲指示情報送信手段５２の機能により、メモリ５５に記憶された演奏端末識別情報５５ａと、選曲された楽曲の楽曲ＩＤ５５ｂと、利用者識別情報５５ｃとからなる選曲指示情報を、携帯電話網８０及びインターネット４０を介して、中継サーバ２０に送信する。中継サーバ２０では、選曲指示情報転送手段２２の機能により、受信した任意の選曲指示情報に含まれる利用者識別情報５５ｃ及び楽曲ＩＤ５５ｂを、当該選曲指示情報に含まれる演奏端末識別情報５５ａを有するカラオケ演奏端末３０に転送する。
【００７３】
選曲指示情報を受信したカラオケ演奏端末３０では、予約管理手段６８の機能により、予約待ち行列６４ａを作成して、受信した利用者識別情報５５ｃ及び楽曲ＩＤ５５ｂからなる選曲予約情報を管理する。
【００７４】
なお、本実施形態では、中継サーバ２０から転送されてきた選曲指示情報に含まれるキーコード５５ｄ（入力キーコード）と、カラオケ演奏端末３０で管理しているキーコード（発行キーコード６４ｃ）とを照合し、入力キーコードと発行キーコード６４ｃとが一致している場合には、受信した楽曲ＩＤに基づく選曲予約を行わせ、入力キーコードと発行キーコード６４ｃとが一致しない場合には、受信した楽曲ＩＤに基づく選曲予約を行わせない。これにより、有効なキーコードを用いなければ、パーソナル携帯端末５０を用いた選曲予約を行うことができないので、悪戯等による選曲予約を排除して、正規の選曲予約操作が混乱することを防止することが可能となる。
【００７５】
＜選曲予約情報の移行＞
利用者がカラオケルームを移動する場合には、選曲待避情報送信手段５３の機能により、いずれかの利用者のパーソナル携帯端末５０から入力された再生停止指示に基づいて、当該パーソナル携帯端末５０のメモリ５５に記憶された演奏端末識別情報５５ａと、当該パーソナル携帯端末５０の携帯端末ＩＤ５５ｂと、再生停止指示とからなる選曲待避情報を、当該パーソナル携帯端末５０の通信網（携帯電話網８０及びインターネット４０）を介して中継サーバ２０へ送信する。中継サーバ２０では、選曲待避情報を当該選曲待避情報に含まれる演奏端末識別情報５５ａを有するカラオケ演奏端末３０に転送する。そして、選曲待避情報を受信したカラオケ演奏端末３０では、選曲予約情報待避手段７３の機能により、すべての利用者の選曲予約情報を予約待ち行列６４ａから待避させて、当該すべての楽曲の再生を停止させる。なお、待避させた選曲予約情報に基づいて待避予約待ち行列６４ｂが作成される。この動作により、利用者がカラオケルームを移動する際に、いずれか一人の利用者が再生停止指示を行うと、すべての利用者について選曲予約情報が予約待ち行列６４ａから待避（削除）され、それ以降、すべての楽曲について演奏が行われない。
【００７６】
そして、利用者が新たなカラオケルームに移動し、再生停止指示を出力したパーソナル携帯端末５０の演奏端末識別情報取得手段５１の機能により、所定時間内に新たなカラオケ演奏端末３０の演奏端末識別情報５５ａがメモリ５５に記憶されると、移動先情報送信手段５４の機能により、新たに取得された演奏端末識別情報５５ａと、当該パーソナル携帯端末５０の利用者識別情報５５ｃとからなる移動先情報を、当該パーソナル携帯端末５０の通信網（携帯電話網８０及びインターネット４０）を介して中継サーバ２０へ送信する。
【００７７】
中継サーバ２０では、移動先情報転送手段２４の機能により、受信した移動先情報に含まれる利用者識別情報５５ｃを、当該移動先情報に含まれる新たな演奏端末識別情報５５ａを有するカラオケ演奏端末３０に転送する。そして、選曲予約情報移行手段７３の機能により、移動前のカラオケ演奏端末３０で予約待ち行列６４ａから待避されている選曲予約情報（待避予約待ち行列６４ｂ）を、移動先情報を受信した新たな演奏端末識別情報５５ａを有するカラオケ演奏端末３０に移行させる。移動先情報を受信した新たな演奏端末識別情報５５ａを有するカラオケ演奏端末３０では、予約管理手段６８の機能により、移行されてきた選曲予約情報に基づく選曲予約管理が行われる。これにより、すべての利用者について、一括して選曲予約情報を移行することができる。
【００７８】
＜他の実施形態＞
本発明のパーソナル携帯端末５０を用いたカラオケ選曲システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００７９】
１０  カラオケ選曲システム
２０  中継サーバ
２１  利用者管理手段
２２  選曲指示情報転送手段
２３  選曲待避情報転送手段
２４  移動先情報転送手段
２５  利用者管理テーブル
３０  カラオケ演奏端末
３１  カラオケ本体
３２  スピーカ
３３  マイクロホン
３４  表示装置
３５  ミキシングアンプ
３６  カラオケリモコン装置
４０  インターネット
５０  パーソナル携帯端末
５１  演奏端末識別情報取得手段
５２  選曲指示情報送信手段
５３  選曲待避情報送信手段
５４  移動先情報送信手段
５５  メモリ
５５ａ  演奏端末識別情報
５５ｂ  楽曲ＩＤ
５５ｃ  利用者識別情報
５５ｄ  キーコード
５６  楽曲検索手段
６０  ルータ
６１  ネットワーク送受信手段
６２  中央制御手段
６３  ＲＯＭ
６４  ＲＡＭ
６４ａ  予約待ち行列
６４ｂ  待避予約待ち行列
６４ｃ  発行キーコード
６５  ＨＤＤ
６５ａ  楽曲データベース
６５ｂ  映像データベース
６６  ローカル送受信手段
６７  キーコード発行手段
６８  予約管理手段
６９  演奏端末識別情報表示手段
７０  音楽再生制御手段
７１  映像再生制御手段
７２  選曲予約情報待避手段
７３  選曲予約情報移行手段
８０  携帯電話網
９０  モバイルＷＷＷサーバ
９１  選曲用アプリケーションソフト
９２  選曲用楽曲索引データベース
【図１】
0005665193.tif 000002
【図２】
0005665193.tif 000003
【図３】
0005665193.tif 000004
【図４】
0005665193.tif 000005
【図５】
0005665193.tif 000006